(57)【要約】【課題】カラー画像と白黒画像が同一ジョブに混在する場合のフィニッシング出力を得る場合には、フィニッシング機能を持ったカラープリンタでの出力、あるいは分離してそれぞれ白黒プリンタ、カラープリンタで出力し、手作業でのフィニッシング処理が必要であり、フィニッシング機能を持ったカラープリンタが必要であるか、手作業による効率の悪い作業を要したが、フィニッシング機能を持ったカラープリンタが必要なく１度のデータ転送で、カラー画像と白黒画像が同一ジョブに混在する場合のフィニッシング出力を得ることを目的とする。【解決手段】本発明は上記の課題を解決することを目的としてなされたものであり、上述の課題を解決する一手段として以下の構成を備える。すなわち、カラー画像と白黒画像が同一ジョブに混在する場合のフィニッシング出力を得る場合には、単純なカラープリンタと、フィニッシング機能を持った白黒プリンタとを組み合わせること。【選択図】        図１
2004306509.tif 000002
【特許請求の範囲】
【請求項１】
外部装置からのデータの入力手段を備え、外部装置からのデータを可能なプリンタ機能をもち、外部装置からのデータの入力手段と、転送されてきたデータのビットマップデータへの変換手段と、外部装置からのデータあるいは形成されたデータを保存可能な記憶手段を備えた少なくとも２台の複数の画像形成装置において、１つの画像形成装置の画像が記録された用紙の排出トレイが、他の画像形成装置の給紙可能なトレイとなり、前記画像形成装置から出力された用紙がもう一方の画像形成装置の給紙用紙となることを特徴とする画像形成システム。
【請求項２】
外部装置からのデータの入力手段を備え、外部装置からのデータを可能なプリンタ機能をもち、外部装置からのデータの入力手段と、転送されてきたデータのビットマップデータへの変換手段と、外部装置からのデータあるいは形成されたデータを保存可能な記憶手段を備えた少なくとも２台の複数の画像形成装置において、１つの画像形成装置の画像が記録された用紙の排出トレイが、他の画像形成装置のフィニッシャのインサーション機能の給紙トレイであり、前記画像形成装置から出力された用紙がもう一方の画像形成装置に接続されるフィニッシャのインサーション用紙となることを特徴とする画像形成システム。
【請求項３】
１つの画像形成装置の画像が記録された用紙の排出トレイが、他の画像形成装置の給紙可能なトレイとなる排出トレイを持った画像形成装置がカラー出力可能な画像形成装置であり、もう一方の画像形成装置が白黒出力可能な画像形成装置であることを特徴とする請求項１記載の画像形成システム。
【請求項４】
１つの画像形成装置の画像が記録された用紙の排出トレイが、他の画像形成装置のフィニッシャのインサーション機能の給紙トレイとなる排出トレイを持った画像形成装置がカラー出力可能な画像形成装置であり、もう一方の画像形成装置が白黒出力可能な画像形成装置であることを特徴とする請求項２に記載の画像形成システム。
【請求項５】
カラー画像と白黒画像が同一ジョブに混在するデータの出力に際し、少なくとも２つの画像形成装置から出力した用紙をまとめてフィニッシング出力を得ることが可能なことを特徴とする請求項１記載の画像形成システム。
【請求項６】
カラー画像と白黒画像が同一ジョブに混在するデータの出力に際し、少なくとも２つの画像形成装置から出力した用紙をまとめてフィニッシング出力を得ることが可能なことを特徴とする請求項２に記載の画像形成システム。
【発明の詳細な説明】
【０００１】
【発明の属する技術分野】
本発明は、プリンタ機能等を備えた画像形成システムに関するものである。
【０００２】
【従来の技術】
従来このような画像形成装置に外部からページ記述言語で記載されたデータを印刷する際、カラー画像と白黒画像が同一ジョブに混在する場合のフィニッシング出力を得る場合には、カラープリンタでの出力、あるいは分離してそれぞれ、白黒プリンタ、カラープリンタで出力し、手作業でのフィニッシング処理が必要であった。
【０００３】
【発明が解決しようとする課題】
このようにカラー画像と白黒画像が同一ジョブに混在する場合のフィニッシング出力を得る場合には、フィニッシング機能を持ったカラープリンタでの出力、あるいは分離してそれぞれ、白黒プリンタ、カラープリンタで出力し、手作業でのフィニッシング処理が必要であり、フィニッシング機能をもったカラープリンタが必要であるか、手作業による効率の悪い作業を要した。
【０００４】
本発明は上記の課題を解決することを目的としてなされたものであり、上述の課題を解決する一手段として、カラー画像と白黒画像が同一ジョブに混在する場合のフィニッシング出力を得る場合には、単純なカラープリンタと、フィニッシング機能を持った白黒プリンタとを組み合わせることにより、カラー画像と白黒画像が同一ジョブに混在する場合でも白黒プリンタのフィニッシング機能を有効に使うことができる画像形成装置システムを提供することを目的とする。
【０００５】
【課題を解決するための手段】
本発明は上記の課題を解決することを目的としてなされたものであり、上述の課題を解決する一手段として以下の構成を備える。
【０００６】
すなわち、カラー画像と白黒画像が同一ジョブに混在する場合のフィニッシング出力を得る場合には、単純なカラープリンタと、フィニッシング機能を持った白黒プリンタとを組み合わせることにより、カラー画像と白黒画像が同一ジョブに混在する場合でも白黒プリンタのフィニッシング機能を有効に使うことができる。
【０００７】
以上、本発明を整理して要約すれば以下の構成に集約できる。
【０００８】
（１）外部装置からのデータの入力手段を備え、外部装置からのデータを可能なプリンタ機能をもち、外部装置からのデータの入力手段と、転送されてきたデータのビットマップデータへの変換手段と、外部装置からのデータあるいは形成されたデータを保存可能な記憶手段を備えた少なくとも２台の複数の画像形成装置において、１つの画像形成装置の画像が記録された用紙の排出トレイが、他の画像形成装置の給紙可能なトレイとなり、前記画像形成装置から出力された用紙がもう一方の画像形成装置の給紙用紙となることを特徴とする画像形成システム。
【０００９】
（２）外部装置からのデータの入力手段を備え、外部装置からのデータを可能なプリンタ機能をもち、外部装置からのデータの入力手段と、転送されてきたデータのビットマップデータへの変換手段と、外部装置からのデータあるいは形成されたデータを保存可能な記憶手段を備えた少なくとも２台の複数の画像形成装置において、１つの画像形成装置の画像が記録された用紙の排出トレイが、他の画像形成装置のフィニッシャのインサーション機能の給紙トレイであり、前記画像形成装置から出力された用紙がもう一方の画像形成装置に接続されるフィニッシャのインサーション用紙となることを特徴とする画像形成システム。
【００１０】
（３）１つの画像形成装置の画像が記録された用紙の排出トレイが、他の画像形成装置の給紙可能なトレイとなる排出トレイを持った画像形成装置がカラー出力可能な画像形成装置であり、もう一方の画像形成装置が白黒出力可能な画像形成装置であることを特徴とする前記（１）記載の画像形成システム。
【００１１】
（４）１つの画像形成装置の画像が記録された用紙の排出トレイが、他の画像形成装置のフィニッシャのインサーション機能の給紙トレイとなる排出トレイを持った画像形成装置がカラー出力可能な画像形成装置であり、もう一方の画像形成装置が白黒出力可能な画像形成装置であることを特徴とする前記（２）に記載の画像形成システム。
【００１２】
（５）カラー画像と白黒画像が同一ジョブに混在するデータの出力に際し、少なくとも２つの画像形成装置から出力した用紙をまとめてフィニッシング出力を得ることが可能なことを特徴とする前記（１）記載の画像形成システム。
【００１３】
（６）カラー画像と白黒画像が同一ジョブに混在するデータの出力に際し、少なくとも２つの画像形成装置から出力した用紙をまとめてフィニッシング出力を得ることが可能なことを特徴とする前記（２）に記載の画像形成システム。
【００１４】
【発明の実施の形態】
図１は本発明の実施例の画像処理装置の構成を示すブロック図である。リーダ部１は原稿の画像を読み取り、原稿画像に応じた画像データをプリンタ部２及び画像入出力制御部３へ出力する。プリンタ部２はリーダ部１及び画像入出力制御部３からの画像データに応じた画像を記録紙上に記録する。画像入出力制御部３はリーダ部１に接続されており、ファクシミリ部４、ファイル部５、コンピュータ・インターフェイス部７、フォーマッタ部８、イメージメモリ部９、コア部１０などからなる。
【００１５】
ファクシミリ部４は電話回線を介して受信した圧縮画像データを伸長して、伸長された画像データをコア部１０へ転送し、又、コア部１０から転送された画像データを圧縮して、圧縮された圧縮画像データを電話回線を介して送信する。ファクシミリ部４にはハードディスク１２が接続されており、受信した圧縮画像データを一時的に保存することができる。
【００１６】
ファイル部５には光磁気ディスク・ドライブユニット６が接続されており、ファイル部５はコア部１０から転送された画像データを圧縮し、その画像データを検索するためのキーワードとともに光磁気ディスク・ドライブユニット６にセットされた光磁気ディスクに記憶させる。又、ファイル部５はコア部１０を介して転送されたキーワードに基づいて光磁気ディスクに記憶されている圧縮画像データを検索し、検索された圧縮画像データを読み出して伸長し、伸長された画像データをコア部１０へ転送する。
【００１７】
コンピュータ・インターフェイス部７は、パーソナルコンピュータ又はワークステーション（ＰＣ／ＷＳ）１１とコア部１０の間のインターフェイスである。
【００１８】
フォーマッタ部８はＰＣ／ＷＳ１１から転送された画像を表すコードデータをプリンタ部２で記録できる画像データに展開するものであり、フォーマッタ部８にはハードディスク１３が接続されており、ＰＣ／ＷＳ１１から転送された画像を表すコードデータあるいは、画像データを一時的に保存することができる。
【００１９】
イメージメモリ部９はＰＣ／ＷＳ１１から転送されたデータを一時的に記憶するものである。
【００２０】
コア部１０については後述するが、コア部１０はリーダ部１、ファクシミリ部４、ファイル部５、コンピュータ・インターフェイス部７、フォーマッタ部８、イメージメモリ部９のそれぞれの間のデータの流れを制御するものである。
【００２１】
図２はリーダ部１及びプリンタ部２の断面図である。リーダ部１の原稿給送装置１０１は原稿を最終頁から順に１枚ずつプラテンガラス１０２上へ給送し、原稿の読み取り動作終了後、プラテンガラス１０２上の原稿を排出するものである。原稿がプラテンガラス１０２上に搬送されると、ランプ１０３を点灯し、そしてスキャナユニット１０４の移動を開始させて、原稿を露光走査する。この時の原稿からの反射光は、ミラー１０５，１０６，１０７，及びレンズ１０８によってＣＣＤイメージセンサ（以下ＣＣＤという）１０９へ導かれる。このように、走査された原稿の画像はＣＣＤ１０９によって読み取られる。ＣＣＤ１０９から出力される画像データは、所定の処理が施された後、プリンタ部２及び画像入出力制御部３のコア部１０へ転送される。
【００２２】
プリンタ部２のレーザドライバ２２１（不図示）はレーザ発光部２０１を駆動するものであり、リーダ部１から出力された画像データに応したレーザ光をレーザ発光部２０１に発光させる。このレーザ光は感光ドラム２０２に照射され、感光ドラム２０２にはレーザ光に応じた潜像が形成される。この感光ドラム２０２の潜像の部分には現像器２０３によって現像剤が付着される。そして、レーザ光の照射開始と同期したタイミングで、カセット２０４及びカセット２０５のいずれかから記録紙を給紙して転写部２０６へ搬送し、感光ドラム２０２に付着された現像剤を記録紙に転写する。現像剤の乗った記録紙は定着部２０７に搬送され、定着部２０７の熱と圧力により現像剤は記像紙に定着される。定着部２０７を通過した記録紙は排出ローラ２０８によって排出され、ソータ２２０は排出された記録紙をそれぞれのビンに収納して記録紙の仕分けを行う。なお、ソータ２２０は仕分けが設定されていない場合は最上ビンに記録紙を収納する。また、両面記録が設定されている場合は、排出ローラ２０８のところまで記録紙を搬送した後、排出ローラ２０８の回転方向を逆転させ、フラッパ２０９によって再給紙搬送路へ導く。多重記録が設定されている場合は、記録紙を排出ローラ２０８まで搬送しないようにフラッパ２０９によって再給紙搬送路へ導く。再給紙搬送路へ導かれた記録紙は上述したタイミングで転写部２０６へ給紙される。
【００２３】
図３はリーダ部１のブロック図である。ＣＣＤ１０９から出力された画像データはＡ／Ｄ・ＳＨ部１１０でアナログ／デジタル変換が行われるとともに、シェーディング補正が行われる。Ａ／Ｄ・ＳＨ部１１０によって処理された画像データは画像処理部１１１を介してプリンタ部２へ転送されるとともに、インターフェイス部１１３を介して画像入出力制御部３のコア部１０へ転送される。ＣＰＵ１１４は操作部１１５で設定された設定内容に応じて画像処理部１１１及びインターフェイス部１１３を制御する。たとえば、操作部１１５でトリミング処理を行って複写を行う複写モードが設定されている場合は、画像処理部１１１でトリミング処理を行わせてプリンタ部２へ転送させる。また、操作部１１５でファクシミリ送信モードが設定されている場合は、インターフェイス部１１３から画像データと設定されたモードに応じた制御コマンドをコア部１０へ転送させる。このようなＣＰＵ１１４の制御プログラムはメモリ１１６に記憶されており、ＣＰＵ１１４はメモリ１１６を参照しながら制御を行う。また、メモリ１１６はＣＰＵ１１４の作業領域としても使われる。
【００２４】
図４はコア部１０のブロック図である。リーダ部１からの画像データはデータ処理部１２１へ転送されるとともに、リーダ部１からの制御コマンドはＣＰＵ１２３へ転送される。データ処理部１２１は画像の回転処理や変倍処理などの画像処理を行うものであり、リーダ部１からデータ処理部１２１へ転送された画像データは、リーダ部１から転送された制御コマンドに応じて、インターフェイス１２０を介してファクシミリ部４、ファイル部５、コンピュータ・インターフェイス部７へ転送される。また、コンピュータ・インターフェイス部７を介して入力された画像を表すコードデータは、データ処理部１２１に転送された後フォーマッタ部８へ転送されて画像データに展開され、この画像データはデータ処理部１２１に転送された後、ファクシミリ部４やプリンタ部２へ転送される。ファクシミリ部４からの画像データは、データ処理部１２１へ転送された後、プリンタ部２やファイル部５、コンピュータ・インターフェイス部７へ転送される。また、ファイル部５からの画像データは、データ処理部１２１へ転送された後、プリンタ部２やファクシミリ部４、コンピュータ・インターフェイス部７へ転送される。
【００２５】
ＣＰＵ１２３はメモリ１２４に記憶されている制御プログラム、及びリーダ部１から転送された制御コマンドに従ってこのような制御を行う。また、メモリ１２４はＣＰＵ１２３の作業領域としても使われる。このように、コア部１０を中心に、原稿画像の読み取り、画像のプリント、画像の送受信、画像の保存、コンピュータからのデータの入出力などの機能を複合させた処理を行うことが可能である。
【００２６】
フォーマッタ部８はコンピュータ・インターフェイス部７よりＰＣ／ＷＳ１１から転送された画像を表すコードデータを受信すると、ＪＯＢの開始をコア部１０に通知する。その後、コア部１０よりＪＯＢ開始受領を受けた後、フォーマッタ部８はデータをプリンタ部２で記録できるビットマップ画像データに展開し、ハードディスク１３に画像データを一時的に保存する。この際、給紙段、出力部数、片／両面印刷等の出力動作設定情報も一時的に保存する。その後、バスを介して画像データ、出力動作設定をプリンタに転送し、印字を行う。複数部の印刷は、たとえば３ページ３部の出力は、１〜３ページの印刷を３度繰り返すことにより実現する。
【００２７】
図５は、本発明の実施例の画像処理装置の構成を示すブロック図である。コントローラに２台のエンジンが接続された構成であり、図１に対し、リーダ部１′（不図示）、プリンタ部２′が加わっている。
【００２８】
ファクシミリ部４、ファイル部５、コンピュータ・インターフェイス部７、フォーマッタ部８、イメージメモリ部９からの画像はコア部１０を介してプリンタ部２，２′に転送される。この際、コア部１０が出力先プリンタ部２あるいはプリンタ部２′を選択する。
【００２９】
〔フィニッシャ部２２０の構成〕
図６に、フィニッシャ部の概観図を示す。プリンタ部２の定着部２０７を出たシートは、フィニッシャ部２２０に入る。フィニッシャ部２２０には、サンプルトレイ１１０１及びスタックトレイ１１０２があり、ジョブの種類や排出されるシートの枚数に応じて切り替えて排出される。
【００３０】
ソート方式には２通りあり、複数のビンを有して各ビンに振り分けるビンソート方式と、後述の電子ソート機能とビン（または、トレイ）を奥手前方向にシフトしてジョブ毎に出力シートを振り分けるシフトソート方式によりソーティングを行うことができる。電子ソート機能は、コレートと呼ばれ、前述のコア部で説明した大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００３１】
更に、スタックトレイ１１０２に排出する場合には、シートが排出される前のシートをジョブ毎に蓄えておき、排出する直前にステープラ１１０５にてバインドすることも可能である。
【００３２】
そのほか、上記２つのトレイに至るまでに、紙をＺ字状に折るためのＺ折り機１１０４、ファイル用の２つ（または３つ）の穴開けを行うパンチャ１１０６があり、ジョブの種類に応じてそれぞれの処理を行う。
【００３３】
更に、サドルステッチャ１１０７は、シートの中央部分を２ヶ所バインドした後に、シートの中央部分をローラに噛ませることによりシートを半折りし、週刊誌やパンフレットのようなブックレットを作成する処理を行う。サドルステッチャ１１０７で製本されたシートは、ブックレットトレイ１１０８に排出される。
【００３４】
そのほか、図には記載されていないが、製本のためのグルー（糊付け）によるバインドや、あるいはバインド後にバインド側と反対側の端面を揃えるためのトリム（裁断）などを加えることも可能である。
【００３５】
また、インサータ１１０３はトレイ１１１０にセットされたシートをプリンタへ通さずにトレイ１１０１、１１０２、１１０８のいずれかに送るためのものである。これによってフィニッシャ２２０に送り込まれるシートとシートの間にインサータ１１０３にセットされたシートをインサート（中差し）することができる。インサータ１１０３のトレイ１１１０にはユーザによりフェイスアップの状態でセットされるものとし、ピックアップローラ１１１１により最上部のシートから順に給送する。従って、インサータ１１０３からのシートはそのままトレイ１１０１、１１０２へ搬送することによりフェイスダウン状態で排出される。サドルステッチャ１１０７へ送るときには、一度パンチャ１１０６側へ送り込んだ後スイッチバックさせて送り込むことによりフェースの向きを合わせる。
【００３６】
〔プリンタ部２′の構成（小型カラープリンタの場合）〕
図７に、カラープリンタ部２′の概観図および、前記フィニッシャ部２２０のインサータ１１０３のトレイ１１１０の構成図を示す。９１３は、ポリゴンミラーであり、４つの半導体レーザ８０５（不図示）より発光された４本のレーザ光を受ける。その内の１本はミラー９１４，９１５，９１６をへて感光ドラム９１７を走査し、次の１本はミラー９１８，９１９，９２０をへて感光ドラム９２１を走査し、次の１本はミラー９２２，９２３，９２４をへて感光ドラム９２５を走査し、次の１本はミラー９２６，９２７，９２８をへて感光ドラム９２９を走査する。
【００３７】
一方、９３０はイエロー（Ｙ）のトナーを供給する現像器であり、レーザ光に従い、感光ドラム９１７上にイエローのトナー像を形成し、９３１はマゼンタ（Ｍ）のトナーを供給する現像器であり、レーザ光に従い、感光ドラム９２１上にマゼンタのトナー像を形成し、９３２はシアン（Ｃ）のトナーを供給する現像器であり、レーザ光に従い、感光ドラム９２５上にシアンのトナー像を形成し、９３３はブラック（Ｋ）のトナーを供給する現像器であり、レーザ光に従い、感光ドラム９２９上にマゼンタのトナー像を形成する。以上４色（Ｙ，Ｍ，Ｃ，Ｋ）のトナー像がシートに転写され、フルカラーの出力画像を得ることができる。
【００３８】
シートカセット（不図示）より給紙されたシートは、転写ベルト９３８上に吸着され、搬送される。給紙のタイミングと同期がとられて、あらかじめ感光ドラム９１７，９２１，９２５，９２９には各色のトナーが現像されており、シートの搬送とともに、トナーがシートに転写される。各色のトナーが転写されたシートは、分離され、搬送ベルトにより搬送され、定着器２０７によって、トナーをシートに定着させて排出する。
【００３９】
本プリンタより出力された用紙は、そのまま、フィニッシャ部２２０のインサータ１１０３のトレイ１１１０上に排出され、前記ＭＦＰにおけるフィニッシャ機能の一部であるインサータ用のインサート用紙として自動的に使用することが可能となる。
【００４０】
なお、４つの感光ドラム９１７，９２１，９２５，９２９は、距離ｄをおいて、等間隔に配置されており、搬送ベルト（不図示）により、シートは一定速度ｖで搬送されており、このタイミング同期がなされて、４つの半導体レーザ（不図示）は駆動される。
【００４１】
［実施例１］
本発明では、フォーマッタ部８はコンピュータ・インターフェイス部７を介して、コンピュータからフォーマットのデータを受信する。フォーマッタ部８は受信したデータをハードディスク１３に保存する。ここで受信したデータが、カラー画像と白黒画像が同一ジョブに混在する場合（１ページ目：カラー、２〜５ページ目：白黒）、かつステイプルソートの指定があった場合について以下に動作を記す。
【００４２】
フォーマッタ部８はではまず送られてきたジョブをページ単位でＲＩＰできるようにページ単位で管理されているフォーマットに変換する。ここでは、たとえば、ＰＤＦ（Ｐｏｒｔａｂｌｅ  Ｄａｔａ  Ｆｏｒｍａｔ）ファイルに変換する。次に、あらかじめページ単位で指定されていたとおりに白黒ページが指示されていたページは白黒ＲＩＰを行い、カラーページが指示されていたページはカラーＲＩＰを行い順次白黒は、プリンタ部２へ、カラーはプリンタ部２′へ出力し印刷を行う。
【００４３】
本例では、先頭ページはカラーであるため、プリンタ２′で記録可能なカラービットマップ画像データに展開し、プリンタ部２′に出力を行う。プリンタ部２′で印刷された用紙は、そのまま、プリンタ２に接続されるフィニッシャのインサータのトレイに排出され、インサート用紙として自動的に使用することが可能となる。
【００４４】
先頭ページを印刷中に、フォーマッタ部８は次ページである白黒画像のＲＩＰを行うが、本ジョブは、ステイプルソートが指定されているため、先頭ページをフィニッシャ部に排出後に出力する必要があり、プリンタ部２′で印刷された用紙が、プリンタ２に接続されるフィニッシャのインサータのトレイに排出されるのを待つ。インサータのトレイに用紙が排出されると、その用紙をピックアップローラ１１１１により給送し、スタックトレイ１１０２直前まで搬送する。
【００４５】
次に２ページ以降の印刷を順次行い、最終ページである５ページ目が印刷され、全てのページがスタックトレイ１１０２直前にそろった後、排出する直前にステープラ１１０５にてバインドし、スタックトレイ１１０２に排出される。
【００４６】
［実施例２］
本発明では、フォーマッタ部８はコンピュータ・インターフェイス部７を介して、コンピュータからフォーマットのデータを受信する。フォーマッタ部８は受信したデータをハードディスク１３に保存する。ここで受信したデータが、カラー画像と白黒画像が同一ジョブに混在する場合（１ページ目：カラー、２〜３ページ目：白黒、４ページ目：カラー）、かつステイプルソートの指定があった場合について以下に動作を記す。
【００４７】
フォーマッタ部８はではまず送られてきたジョブをページ単位でＲＩＰできるようにページ単位で管理されているフォーマットに変換する。ここでは、たとえば、ＰＤＦ（Ｐｏｒｔａｂｌｅ  Ｄａｔａ  Ｆｏｒｍａｔ）ファイルに変換する。次に、あらかじめページ単位で指定されていたとおりに白黒ページが指示されていたページは白黒ＲＩＰを行い、カラーページが指示されていたページはカラーＲＩＰを行い順次白黒は、プリンタ部２へ、カラーはプリンタ部２′へ出力し印刷を行う。
【００４８】
本例では、先頭ページはカラーであるため、プリンタ２′で記録可能なカラービットマップ画像データに展開し、プリンタ部２′に出力を行う。プリンタ部２′で印刷された用紙は、そのまま、プリンタ２に接続されるフィニッシャのインサータのトレイに排出され、インサート用紙として自動的に使用することが可能となる。
【００４９】
先頭ページを印刷中に、フォーマッタ部８は次ページである白黒画像のＲＩＰを行うが、本ジョブは、ステイプルソートが指定されているため、先頭ページをフィニッシャ部に排出後に出力する必要があり、プリンタ部２′で印刷された用紙が、プリンタ２に接続されるフィニッシャのインサータのトレイに排出されるのを待つ。インサータのトレイに用紙が排出されると、その用紙をピックアップローラ１１１１により給送し、スタックトレイ１１０２直前まで搬送する。
【００５０】
次に２ページ目，３ページ目の印刷を順次行い、４ページ目が、カラーであるため、１ページ目同様、プリンタ２′で記録可能なカラービットマップ画像データに展開し、プリンタ部２′に出力を行う。プリンタ部２′で印刷された用紙は、そのまま、プリンタ２に接続されるフィニッシャのインサータのトレイに排出され、インサート用紙として自動的に使用することが可能となる。インサータのトレイに用紙が排出されると、その用紙をピックアップローラ１１１１により給送し、スタックトレイ１１０２直前まで搬送する。
【００５１】
最終ページである４ページ目がスタックトレイ１１０２直前まで搬送され、全てのページがスタックトレイ１１０２直前にそろった後、排出する直前にステープラ１１０５にてバインドし、スタックトレイ１１０２に排出される。
【００５２】
［実施例３］
実施例１の例を図８のフローチャートを用いてフォーマッタ部８の動作を以下に示す。
【００５３】
本例では、受信したデータが、カラー画像と白黒画像が同一ジョブに混在する場合（１ページ目：カラー、２〜５ページ目：白黒）、かつステイプルソートの指定があった場合についてで、フォーマッタ部８はではまずＳ８００で送られてきたジョブをページ単位でＲＩＰできるようにページ単位で管理されているフォーマットに変換する。
【００５４】
次にＳ８０１で終了かの判断を行った後に、Ｓ８０２でこれから処理を行うページが白黒かカラーかの判断を行う。本例では、先頭ページはカラーであるため、Ｓ８０６へ進み、プリンタ２′で記録可能なカラービットマップ画像データに展開し、Ｓ８０７でプリンタ部２′に出力を行う。プリンタ部２′で印刷された用紙は、そのまま、プリンタ２に接続されるフィニッシャのインサータのトレイに排出されるのをＳ８０８で待ち、インサータのトレイに用紙が排出されると、Ｓ８０９でその用紙をピックアップローラ１１１１により給送する。
【００５５】
Ｓ８０１に戻り終了かの判断を行った後に、Ｓ８０２でこれから処理を行うページが白黒かカラーかの判断を行う。本例では、２ページ目は白黒であるため、Ｓ８０３へ進み、プリンタ２で記録可能な白黒ビットマップ画像データに展開し、Ｓ８０４で前ページの処理が完了しているかを確認する。この場合、前ページはカラーであったため、用紙がプリンタ２に接続されるフィニッシャのインサータのトレイに排出され、その用紙をピックアップローラ１１１１により給送し、スタックトレイ１１０２直前まで搬送されるのを待つ。
【００５６】
上記処理の終了が確認取れた後、Ｓ８０５で２ページ目の印刷を行い、Ｓ８０１に戻る。３ページ目は白黒であるため、２ページ目同様に、Ｓ８０３へ進み、プリンタ２で記録可能な白黒ビットマップ画像データに展開し、Ｓ８０４で前ページの処理が完了しているかを確認する。この場合、前ページは白黒で、待ち処理がないため、Ｓ８０５で３ページ目の印刷を行い、Ｓ８０１に戻る。４ページ目、５ページ目も３ページ目と同様の処理となる。
【００５７】
Ｓ８０１で全ページの終了を確認し、最終ページである５ページ目が印刷され、全てのページがスタックトレイ１１０２直前にそろった後、排出する直前にステープラ１１０５にてバインドし、スタックトレイ１１０２に排出される。
【００５８】
【発明の効果】
以上説明してきたように、本発明によると、フィニッシング機能を持ったカラープリンタが必要なく１度のデータ転送で、カラー画像と白黒画像が同一ジョブに混在する場合のフィニッシング出力を得ることが可能となった。
【図面の簡単な説明】
【図１】本発明の実施例の画像処理装置のブロック図
【図２】リーダ部及びプリンタ部の断面図
【図３】リーダ部のブロック図
【図４】コア部のブロック図
【図５】本発明の実施例の画像処理装置のブロック図
【図６】フィニッシャ部の構成図
【図７】カラープリンタとフィニッシャー・インサータ部の構成図
【図８】本発明のフローチャート
【符号の説明】
１  リーダ部
２  プリンタ部
３  画像入出力制御部
４  ファクシミリ部（ファクス部）
５  ファイル部
６  光磁気ディスク・ドライブユニット
７  コンピュータ・インターフェイス部
８  フォーマッタ部
９  イメージメモリ部
１０  コア部
１１  ＰＣ／ＷＳ
１２  ハードディスク
１３  ハードディスク
１０１  原稿給送装置
１０２  プラテンガラス
１０３  ランプ
１０４  スキャナユニット
１０５，１０６，１０７  ミラー
１０８  レンズ
１０９  ＣＣＤイメージセンサ（ＣＣＤ）
１１０  Ａ／Ｄ・ＳＨ部
１１１  画像処理部
１１３  インターフェイス部（Ｉ／Ｆ）
１１４  ＣＰＵ
１１５  操作部
１１６  メモリ
２０１  レーザ発光部
１２０  インターフェイス（Ｉ／Ｆ）
１２１  データ処理部
１２３  ＣＰＵ
１２４  メモリ
２０２  感光ドラム
２０３  現像器
２０４，２０５  カセット
２０６  転写部
２０７  定着部
２０８  排出ローラ
２０９  フラッパ
２２０  ソータ
９１３  ポリゴンミラー
９１４，９１５，９１６  ミラー
９１７  感光ドラム
９１８，９１９，９２０  ミラー
９２１  感光ドラム
９２２，９２３，９２４  ミラー
９２５  感光ドラム
９２６，９２７，９２８  ミラー
９２９  感光ドラム
９３０  イエロー（Ｙ）のトナーを供給する現像器
９３１  マゼンタ（Ｍ）のトナーを供給する現像器
９３２  シアン（Ｃ）のトナーを供給する現像器
９３３  ブラック（Ｋ）のトナーを供給する現像器
９３８  転写ベルト
１１０１  サンプルトレイ
１１０２  スタックトレイ
１１０３  インサータ
１１０４  Ｚ折り機
１１０５  ステープラ
１１０６  パンチャ
１１０７  サドルステッチャ
１１０８  ブックレットトレイ
１１１０  トレイ
１１１１  ピックアップローラ
【図１】
2004306509.tif 000003
【図２】
2004306509.tif 000004
【図３】
2004306509.tif 000005
【図４】
2004306509.tif 000006
【図５】
2004306509.tif 000007
【図６】
2004306509.tif 000008
【図７】
2004306509.tif 000009
【図８】
2004306509.tif 000010